(57)【特許請求の範囲】
【請求項１】
相対移動可能に連結された第１と第２の部品配設部材に第１と第２の電気的部品が組み付けられ、それら第１と第２の電気的部品の間を電気接続する配線部材の中間部が、前記第１の部品配設部材に対する前記第２の部品配設部材の相対移動に伴って屈曲変形する遊技機において、
前記第２の部品配設部材とは別個に前記第１の部品配設部材に相対移動可能に連結された可動部材を設け、前記第１の部品配設部材に対して前記第２の部品配設部材が相対移動したときに、前記可動部材が前記第１の部品配設部材に対して相対移動しながら前記配線部材の中間部を所定の障害領域を回避した回避軌道を描くようにガイドするように構成し、
前記配線部材の中間部は、通常は、屈曲した状態になっていて、前記第１の部品配設部材には、前記配線部材の中間部における屈曲部分が、所定角を越えて直線状に向かうように伸ばされることを規制する阻止部材が備えられていることを特徴とする遊技機。
【請求項２】
前記障害領域は、前記第１と第２の部品配設部材の間に配置され、前記第１の部品配設部材に対して前記第２の部品配設部材が相対移動したときに、前記配線部材の厚さより大きい状態から前記配線部材の厚さと略同等以下の大きさに狭まる空間であることを特徴とする請求項１に記載の遊技機。
【請求項３】
前記可動部材には、前記配線部材が固定され、前記第１の部品配設部材に対して前記可動部材が相対移動したときに所定の軌跡を描いて移動することで、前記配線部材の中間部を前記所定の障害領域を回避した回避軌道を描くようにガイドする配線固定部が設けられたことを特徴とする請求項１又は２に記載の遊技機。
【請求項４】
前記第１の部品配設部材に対して前記第２の部品配設部材が相対移動したときに、前記配線部材のうち前記配線固定部の両側部分が屈曲変形することを特徴とする請求項３に記載の遊技機。
【請求項５】
前記第１の部品配設部材には、前記可動部材を収容した収容空間が形成されて、前記第２の部品配設部材が前記第１の部品配設部材に接近するように移動した際に、前記配線部材の一部が前記可動部材にガイドにされて前記収容空間に収納されることを特徴とする請求項１乃至４の何れか１の請求項に記載の遊技機。
【請求項６】
前記収容空間の内面には、前記配線部材が当接する位置に弾性部材が取り付けられていることを特徴とする請求項５に記載の遊技機。
【請求項７】
前記配線部材の周囲を覆い、前記第１の部品配設部材に対して前記第２の部品配設部材が相対移動したときに前記配線部材と共に屈曲可能な保護部材を備えたことを特徴とする請求項１乃至６の何れか１の請求項に記載の遊技機。
【請求項８】
前記第２の部品配設部材は前記第１の部品配設部材に対して回動可能に連結され、前記配線部材は束ねられた前記第２の部品配設部材の回動中心寄り位置に配置されていることを特徴とする請求項１乃至７の何れか１の請求項に記載の遊技機。
【請求項９】
遊技機本体と、その遊技機本体の一側部に回動可能に連結されて前記遊技機本体の前面を開閉可能な前面扉との間を連絡するケーブルの一部が、前記遊技機本体の前面のうち回動中心寄り位置に設けられて、前記前面扉の後面に向かって開放したケーブル収容部屋の奥側の本体側ケーブル固定部に固定される一方、前記ケーブルの他の一部が、前記前面扉の後面のうち回動中心寄り位置に設けられた扉側ケーブル固定部に固定され、前記前面扉の回動に伴って、前記ケーブルのうち前記本体側ケーブル固定部と前記扉側ケーブル固定部との間のケーブル中間部が屈曲変形すると共に、前記前面扉を閉じると前記扉側ケーブル固定部が前記ケーブル収容部屋に対向して前記ケーブル中間部が前記ケーブル収容部屋に収容される遊技機において、
前記ケーブル収容部屋の内側面に基端部が回動可能に連結されて先端部が前後動可能な回動レバーと、
前記回動レバーの先端部に設けられて前記ケーブル中間部を保持し、前記ケーブル中間部の左右の動きを規制しかつ前後の動きを許容するレバー先端保持部とを備えたことを特徴とする遊技機。
【請求項１０】
前記ケーブル中間部に、上下方向で折り返された折り返し屈曲部を設け、前記ケーブル中間部のうち前記折り返し屈曲部より前記本体側ケーブル固定部寄り位置を前記レバー先端保持部に固定したことを特徴とする請求項９に記載の遊技機。
【請求項１１】
前記回動レバーには、前記ケーブル収容部屋の内側面に回動可能に連結された前記基端部としてのレバー回動中心基端部と、
前記レバー回動中心基端部から上下方向に延びたレバー中間部と、
前記レバー中間部から前記ケーブル収容部屋の横方向の中央側に屈曲した前記先端部としての横向きレバー先端部と、
前記横向きレバー先端部の前面から突出し、前記ケーブル中間部を上下方向に貫通させた状態で保持した前記レバー先端保持部としての可動ケーブル保持リングとが設けられたことを特徴とする請求項１０に記載の遊技機。
【請求項１２】
前記ケーブル収容部屋の横方向の中央かつ前記レバー回動中心基端部の側方位置には、前記ケーブル中間部を上下方向に貫通させた状態で保持した前記本体側ケーブル固定部としての固定ケーブル保持リングが設けられたことを特徴とする請求項１１に記載の遊技機。
【請求項１３】
前記前面扉を閉じた状態で前記可動ケーブル保持リングと前記固定ケーブル保持リングとが上下の略同軸線上に並ぶように配置されたことを特徴とする請求項１２に記載の遊技機。
【請求項１４】
前記前面扉の後面のうち前記扉側ケーブル固定部より前記前面扉の回動中心寄り位置から突出し、前記前面扉を閉じた状態で前記ケーブル収容部屋内に向かって突出し、前記前面扉を開いた状態で前記ケーブル中間部を前記前面扉の回動中心から離す側に押圧する扉後面突部を備えたことを特徴とする請求項９乃至１３の何れか１の請求項に記載の遊技機。
【発明の詳細な説明】
【技術分野】
【０００１】
本発明は、遊技機に関する。
【背景技術】
【０００２】
パチンコ遊技機に代表される遊技機は、一般に、遊技機本体１の一側辺に前面扉２が回動可能に支持されている（例えば、特許文献１参照）。また、この種の遊技機では、図１３（Ａ）に示すように、遊技機本体１と前面扉２とが配線部材３にて電気接続されていた。
【先行技術文献】
【特許文献】
【０００３】
【特許文献１】特開平５−３２９２６５号公報（段落［０００６］、第２図）
【発明の概要】
【発明が解決しようとする課題】
【０００４】
ところが、上述した従来の遊技機では、遊技機本体１と前面扉２との間で配線部材３が不規則に屈曲可能となっていたため、遊技機本体１に対して前面扉２を閉めるように動かした場合に、例えば図１３（Ｂ）に示すように、配線部材３が遊技機の左右方向に動いて遊技機本体１の回動中心側端部と前面扉２の回動中心側端部との間の隙間４に入り込み、前面扉２が閉止できなくなったり配線部材３が破損する虞があった。
【０００５】
本発明は、上記事情に鑑みてなされたものであって、相対移動可能な部材間を連絡した配線部材の不規則な屈曲変形を抑制することが可能な遊技機の提供を目的とする。
【課題を解決するための手段】
【０００６】
上記目的を達成するためになされた請求項１の発明に係る遊技機は、相対移動可能に連結された第１と第２の部品配設部材に第１と第２の電気的部品が組み付けられ、それら第１と第２の電気的部品の間を電気接続する配線部材の中間部が、第１の部品配設部材に対する第２の部品配設部材の相対移動に伴って屈曲変形する遊技機において、第２の部品配設部材とは別個に第１の部品配設部材に相対移動可能に連結された可動部材を設け、第１の部品配設部材に対して第２の部品配設部材が相対移動したときに、可動部材が第１の部品配設部材に対して相対移動しながら配線部材の中間部を所定の障害領域を回避した回避軌道を描くようにガイドするように構成し、配線部材の中間部は、通常は、屈曲した状態になっていて、第１の部品配設部材には、配線部材の中間部における屈曲部分が、所定角を越えて直線状に向かうように伸ばされることを規制する阻止部材が備えられているところに特徴を有する。
【０００７】
ここで、本発明における「第１の部品配設部材に対する第２の部品配設部材の相対移動」とは、「第１の部品配設部材が固定されていて第２の部品配設部材が移動すること」、「第２の部品配設部材が固定されていて第１の部品配設部材が移動すること」、「第１の部品配設部材と第２の部品配設部材の双方が移動しかつ位置関係が変化すること」を含む意味である。また、本発明の「相対移動」には「回動」、「直動」その他、第１の部品配設部材と第２の部品配設部材との相対的な位置関係が変化する動きが含まれる。
【０００８】
請求項２の発明は、請求項１に記載の遊技機において、障害領域は、第１と第２の部品配設部材の間に配置され、第１の部品配設部材に対して第２の部品配設部材が相対移動したときに、配線部材の厚さより大きい状態から配線部材の厚さと略同等以下の大きさに狭まる空間であるところに特徴を有する。ここで「配線部材の厚さ」とは、屈曲していない状態での配線部材の厚さのことを意味する。
【０００９】
請求項３の発明は、請求項１又は２に記載の遊技機において、可動部材には、配線部材が固定され、第１の部品配設部材に対して可動部材が相対移動したときに所定の軌跡を描いて移動することで、配線部材の中間部を所定の障害領域を回避した回避軌道を描くようにガイドする配線固定部が設けられたところに特徴を有する。
【００１０】
請求項４の発明は、請求項３に記載の遊技機において、第１の部品配設部材に対して第２の部品配設部材が相対移動したときに、配線部材のうち配線固定部の両側部分が屈曲変形するところに特徴を有する。
【００１２】
請求項５の発明は、請求項１乃至４の何れか１の請求項に記載の遊技機において、第１の部品配設部材には、可動部材を収容した収容空間が形成されて、第２の部品配設部材が第１の部品配設部材に接近するように移動した際に、配線部材の一部が可動部材にガイドにされて収容空間に収納されるところに特徴を有する。
【００１３】
請求項６の発明は、請求項５に記載の遊技機において、収容空間の内面には、配線部材が当接する位置に弾性部材が取り付けられているところに特徴を有する。
【００１４】
請求項７の発明は、請求項１乃至６の何れか１の請求項に記載の遊技機において、配線部材の周囲を覆い、第１の部品配設部材に対して第２の部品配設部材が相対移動したときに配線部材と共に屈曲可能な保護部材を備えたところに特徴を有する。
【００１５】
請求項８の発明は、請求項１乃至７の何れか１の請求項に記載の遊技機において、第２の部品配設部材は第１の部品配設部材に対して回動可能に連結され、配線部材は第２の部品配設部材の回動中心寄り位置に配置されているところに特徴を有する。
【００１６】
請求項９の発明に係る遊技機は、遊技機本体と、その遊技機本体の一側部に回動可能に連結されて遊技機本体の前面を開閉可能な前面扉との間を連絡するケーブルの一部が、遊技機本体の前面のうち回動中心寄り位置に設けられて、前面扉の後面に向かって開放したケーブル収容部屋の奥側の本体側ケーブル固定部に固定される一方、ケーブルの他の一部が、前面扉の後面のうち回動中心寄り位置に設けられた扉側ケーブル固定部に固定され、前面扉の回動に伴って、ケーブルのうち本体側ケーブル固定部と扉側ケーブル固定部との間のケーブル中間部が屈曲変形すると共に、前面扉を閉じると扉側ケーブル固定部がケーブル収容部屋に対向してケーブル中間部がケーブル収容部屋に収容される遊技機において、ケーブル収容部屋の内側面に基端部が回動可能に連結されて先端部が前後動可能な回動レバーと、回動レバーの先端部に設けられてケーブル中間部を保持し、ケーブル中間部の左右の動きを規制しかつ前後の動きを許容するレバー先端保持部とを備えたところに特徴を有する。
【００１７】
請求項１０の発明は、請求項９に記載の遊技機において、ケーブル中間部に、上下方向で折り返された折り返し屈曲部を設け、ケーブル中間部のうち折り返し屈曲部より本体側ケーブル固定部寄り位置をレバー先端保持部に固定したところに特徴を有する。
【００１８】
請求項１１の発明は、請求項１０に記載の遊技機において、回動レバーには、ケーブル収容部屋の内側面に回動可能に連結された基端部としてのレバー回動中心基端部と、レバー回動中心基端部から上下方向に延びたレバー中間部と、レバー中間部からケーブル収容部屋の横方向の中央側に屈曲した先端部としての横向きレバー先端部と、横向きレバー先端部の前面から突出し、ケーブル中間部を上下方向に貫通させた状態で保持したレバー先端保持部としての可動ケーブル保持リングとが設けられたところに特徴を有する。
【００１９】
請求項１２の発明は、請求項１１に記載の遊技機において、ケーブル収容部屋の横方向の中央かつレバー回動中心基端部の側方位置には、ケーブル中間部を上下方向に貫通させた状態で保持した本体側ケーブル固定部としての固定ケーブル保持リングが設けられたところに特徴を有する。
【００２０】
請求項１３の発明は、請求項１２に記載の遊技機において、前面扉を閉じた状態で可動ケーブル保持リングと固定ケーブル保持リングとが上下の略同軸線上に並ぶように配置されたところに特徴を有する。
【００２１】
請求項１４の発明は、請求項９乃至１３の何れか１の請求項に記載の遊技機において、前面扉の後面のうち扉側ケーブル固定部より前面扉の回動中心寄り位置から突出し、前面扉を閉じた状態でケーブル収容部屋内に向かって突出し、前面扉を開いた状態でケーブル中間部を前面扉の回動中心から離す側に押圧する扉後面突部を備えたところに特徴を有する。
【発明の効果】
【００２２】
［請求項１及び２の発明］
請求項１の発明によれば、第１の部品配設部材に対して第２の部品配設部材が相対移動するときに、可動部材は、配線部材の中間部が所定の障害領域を回避した回避軌道を描いて移動するようにガイドする。即ち、第１と第２の部品配設部材が相対移動する際に、その相対移動の障害となり得る配線部材の中間部の不規則な屈曲変形を抑制することができる。
さらに、配線部材の中間部が所定角を越えて直線状に向かって伸ばされないようにすることができる。
【００２３】
ここで、本発明における「障害領域」としては、第１の部品配設部材に対して第２の部品配設部材が相対移動したときに、その相対移動に支障を来す程度に「配線部材が遊技機の一部と擦れる領域」又は、「配線部材が遊技機の一部と引っ掛かる領域」又は、「配線部材が遊技機の一部に絡まる領域」又は、「配線部材の厚さより大きい状態から配線部材の厚さと略同等以下の大きさに狭まる空間」（請求項２の発明）が挙げられる。そして、請求項２の発明によれば、第１と第２の部品配設部材の間に配置された障害領域に配線部材が挟まれて破損することを抑制することができる。
【００２４】
［請求項３の発明］
請求項３の発明によれば、配線部材と可動部材とが常に連動可能となり、第１と第２の部品配設部材の相対移動による配線部材の動き（変形）で可動部材を動かすことができる。
【００２５】
［請求項４の発明］
請求項４の発明によれば、第１の部品配設部材に対して第２の部品配設部材が相対移動したときに、配線部材における配線固定部の両側部分が屈曲変形することにより、第１と第２の部品配設部材の位置関係の変化を吸収することができ、配線部材と第１及び第２の電気的部品との接続解除を抑制することができる。
【００２７】
［請求項５の発明］
請求項５の発明によれば、第１の部品配設部材と第２の部品配設部材とが接近するように移動した場合に、配線部材を収容空間に収納させることで、配線部材の中間部の極端な屈曲を抑制することができる。
【００２８】
［請求項６の発明］
請求項６の発明によれば、配線部材のうち、収容空間の内面との当接部分にかかる負荷を軽減することが可能となる。
【００２９】
［請求項７の発明］
請求項７の発明によれば、第１と第２の部品配設部材の相対移動に応じた配線部材の屈曲を許容しつつ配線部材を保護することができる。
【００３０】
［請求項８の発明］
請求項８の発明によれば、第１の部品配設部材に対して第２の部品配設部材を回動させてそれらを接近させた場合に、第１と第２の部品配設部材の回動中心側端部で配線部材が挟まれて破損することを抑制することができる。
【００３１】
［請求項９の発明］
請求項９の発明によれば、遊技機本体に対する前面扉の開閉操作時に、回動レバーがケーブル中間部の前後の動きを許容しかつ左右方向の動きを規制するので、遊技機本体の回動中心側端部と前面扉の回動中心側端部との間に形成される隙間にケーブル中間部が入り込むことを抑制することができる。つまり、本発明によれば、遊技機本体に対して前面扉が回動する際に障害となり得るケーブル中間部の不規則な屈曲変形を抑制することができる。また、不規則に屈曲変形したケーブル中間部が、遊技機本体と前面扉との間に挟まれて破損することを抑制することができる。
【００３２】
［請求項１０の発明］
請求項１０によれば、ケーブル中間部の折り返し屈曲部の位置や大きさの変化により、遊技機本体と前面扉との位置関係の変化を吸収することができ、ケーブルと遊技機本体及び前面扉との接続解除を抑制することができる。
【００３３】
［請求項１１の発明］
請求項１１の発明によれば、前面扉が閉じたときに、ケーブル中間部と回動レバーとを共通のケーブル収容部屋に収納することができる。また、ケーブル中間部の極端な屈曲を抑制することができる。
【００３４】
［請求項１２の発明］
請求項１２の発明によれば、固定ケーブル保持リング及び可動ケーブル保持リングが共にケーブル中間部を上下方向に貫通させた状態で保持するので、固定ケーブル保持リング及び可動ケーブル保持リングに対してケーブル中間部を保持させる作業が比較的容易になる。
【００３５】
［請求項１３の発明］
請求項１３の発明によれば、可動ケーブル保持リングと固定ケーブル保持リングとの間でケーブルを略直線状に伸ばした状態で保持することができる。また、固定ケーブル保持リング及び可動ケーブル保持リングとの間でケーブルを大きく曲げなくてもよいのでケーブル中間部を保持させる作業がさらに容易になる。
【００３６】
［請求項１４の発明］
請求項１４の発明によれば、仮に、回動レバーによるケーブル中間部の保持が、不測の事態により解除されてケーブル中間部が左右方向に動くことが可能になった場合でも、前面扉が開いた状態で扉後面突部が、ケーブル中間部を前面扉の回動中心から離れる側に押圧するから、遊技機本体の回動中心側端部と前面扉の回動中心側端部との間に形成される隙間にケーブル中間部が入り込むことを抑制することができる。
【図面の簡単な説明】
【００３７】
【図１】本発明の一実施形態に係るパチンコ遊技機の正面図
【図２】ガラス扉を開放した状態のパチンコ遊技機の正面図
【図３】ガラス扉及び下皿扉を開放した状態のパチンコ遊技機の斜視図
【図４】本体枠の斜視図
【図５】ガラス扉と本体枠の連結部分の拡大斜視図
【図６】本体枠の吊元側の拡大斜視図
【図７】ケーブル収容部屋の内部の斜視図
【図８】（Ａ）ガラス扉が閉止したときのケーブル収容部屋内部の側面図、（Ｂ）ガラス扉が開放したときのケーブル収容部屋内部の側面図
【図９】（Ａ）ガラス扉が閉止したときのガラス扉と本体枠の連結部分の平面図、（Ｂ）ガラス扉が開放したときのガラス扉と本体枠の連結部分の側面図
【図１０】ケーブルクリップの平面図
【図１１】（Ａ）ケーブルガイドレバーの正面図、（Ｂ）ケーブルガイドレバーの側面図
【図１２】ケーブルの斜視図
【図１３】従来の遊技機の平面図
【発明を実施するための形態】
【００３８】
以下、本発明を適用したパチンコ遊技機１０に係る一実施形態を、図１〜図１２に基づいて説明する。パチンコ遊技機１０に備えた遊技板１１（図２参照）の前面には、ガイドレール１２が取り付けられ、その内側が略円形の遊技領域Ｒ１となっている。
【００３９】
図１に示すように、遊技領域Ｒ１のほぼ中央部には、表示装置１３が設けられ、表示装置１３の下方には、始動入賞口１４、大入賞口１５及びアウト口１６が、上から順に間隔を開けて並べて設けられている。遊技領域Ｒ１のうち、表示装置１３の左右両側には始動ゲート１８と風車１７とが備えられ、始動入賞口１４の左右両側には、一般入賞口２０、２１がガイドレール１２に沿って設けられている。さらに、これら入賞口以外に、遊技領域Ｒ１には図示しない複数の釘が起立している。また、パチンコ遊技機１０のうちアウト口１６より下方には、パチンコ遊技機１０の前面から膨出した上皿２７Ａが備えられ、さらに、その上皿２７Ａより下方には、パチンコ遊技機１０の前面から膨出した下皿２７Ｂが備えられている。
【００４０】
以下、遊技板１１の前面に備えた上記始動ゲート１８等を詳説しつつ、パチンコ遊技機１０の遊技内容について説明する。始動ゲート１８は、遊技球が潜って通過可能な門形構造をなしている。始動ゲート１８を遊技球が通過すると、表示装置１３の表示画面の一角部に表示された２桁の数字（普通図柄）が所定期間に亘って変動表示した後、停止表示する。また、普通図柄が変動表示している間に始動ゲート１８を通過した遊技球は、所定数（例えば、４つ）まで累積カウント（所謂「保留」）される。なお、保留数は、遊技領域Ｒ１に備えた保留数用のＬＥＤの点灯数によって遊技者に報知される。
【００４１】
始動入賞口１４は、共にポケット構造をなして上方に向かって開口している。始動入賞口１４の上面開口の左右両側には可動翼１４Ｃ，１４Ｃが備えられている。これら両可動翼１４Ｃ，１４Ｃは、常には起立状態になっており、両可動翼１４Ｃ，１４Ｃに挟まれた始動入賞口１４の開口幅も、遊技球を１つずつ受け入れる大きさになっている。普通図柄が当たりの組み合わせ（ゾロ目）で停止表示すると、可動翼１４Ｃ，１４Ｃが所定期間（例えば、０．５秒間）に亘って左右に倒される。可動翼１４Ｃ，１４Ｃが左右に倒れると、その倒れた可動翼１４Ｃ，１４Ｃに案内されて遊技球が始動入賞口１４に入賞可能となる。
【００４２】
始動入賞口１４に遊技球が入賞すると、「大当たり遊技」を行うか否かを決定する当否判定の権利が発生し、その当否判定結果が表示装置１３によって遊技者に報知される。具体的には、表示装置１３の表示画面には、通常、３つの左、中、右の特別図柄（図示せず）が横並びに表示されている。これら各特別図柄は、例えば、「０」〜「９」の数字を表記した複数種類のもので構成されており、通常は、左、中、右の各特別図柄ごと、所定の種類のものが停止表示されている。そして、始動入賞口１４に遊技球が入賞したときに、これら３つの特別図柄が、変動表示（上下方向にスクロール表示）され、所定時間後に、例えば、左、中、右の順で各特別図柄が停止表示される。このとき、例えば、全ての特別図柄が同じ図柄、即ち、ゾロ目になった場合に、遊技が「通常遊技」から「大当たり遊技」に移行する。
【００４３】
ここで、表示装置１３にて特別図柄が変動表示している最中又は「大当たり遊技」の最中に始動入賞口１４に入賞した遊技球の数は、所定の限度数まで累積カウント（所謂「保留」）され、特別図柄が外れの図柄組み合わせで停止表示又は「大当たり遊技」が終了すると、その保留記憶に基づいて再び、特別図柄の変動表示が開始される。なお、保留数は、遊技領域Ｒ１に備えた保留数用のＬＥＤの点灯数によって遊技者に報知される。
【００４４】
大入賞口１５は、遊技板１１の前面に開放して横長形状をなしており、常には、可動扉１５Ｔにて閉塞されている。そして、上記したように特別図柄がゾロ目で停止表示した場合に、可動扉１５Ｔが前側に倒れて大入賞口１５が開放し、可動扉１５Ｔをガイドにして大入賞口１５に遊技球が入賞可能になる。ここで、可動扉１５Ｔが開放してから閉じるまでの間を「ラウンド」と称すると、１つのラウンドは、可動扉１５Ｔの開放時間が３０秒に達したか、又は、大入賞口１５に遊技球が１０個入賞したか、の何れかの終了条件が先に満たされた場合に終了する。また、「大当たり遊技」は、最大で、例えば１５ラウンドまで継続される。
【００４５】
大入賞口１５の内部には、図示しないが継続入賞口と計数入賞口とが設けられている。可動扉１５Ｔが開いたときには、継続入賞口は開放しており、継続入賞口に入賞すると継続入賞口が閉鎖される一方、計数入賞口は開放されたままとなる。継続入賞口に遊技球の入賞を検出すると、前述した終了条件を満たしてラウンドが終了した後で、連続して次のラウンドが実行される。また、計数入賞口に遊技球の入賞を検出すると、継続入賞口への入賞球と合わせて、大入賞口１５への入賞球がカウントされ、これらが前記したように計１０個に達したか否かがチェックされる。
【００４６】
なお、各入賞口１４，１５，２０，２１に遊技球が入賞すると、賞球として所定数の遊技球が上皿２７Ａに払い出される。また、大入賞口１５に遊技球が入賞したときには、他の入賞口１４，２０，２１への入賞時よりも多くの遊技球が払い出される。以上が、遊技板１１及び遊技内容に関する説明である。
【００４７】
ところで、遊技板１１は、図４に示す本体枠７０に嵌め込まれており、その本体枠７０は図２に示すように外枠８２の内側に嵌め込まれている。これら遊技板１１と本体枠７０と外枠８２とから遊技機本体８０が構成されている。
【００４８】
外枠８２は、縦長矩形状の木枠で構成されており、遊技場の遊技島に固定されている。本体枠７０は、上下方向が外枠８２より短い縦長矩形状になっており、正面視左側辺が外枠８２に対して回動可能に連結されている。図３に示すように、本体枠７０の下端部は部品取付部７１となっており、ここに図示しない発射装置や回路基盤等の各種部品が組み付けられている。本体枠７０のうち部品取付部７１の上方部分は、略矩形枠形の遊技板取付部７２となっている。遊技板取付部７２は前後方向に貫通しており、ここに遊技板１１が例えば、前面側から嵌め込まれている（図２参照）。本体枠７０は、本発明の「第１の部品配設部材」に相当する。
【００４９】
本体枠７０の正面視右下角部には、上皿２７Ａに収容された遊技球を遊技領域Ｒ１に発射操作するための操作ノブ２８が配置されている。本体枠７０の前面には、下皿扉６０とガラス扉９０とが取り付けられ、それら下皿扉６０とガラス扉９０とによって本体枠７０の前面が覆われている（図１参照）。なお、ガラス扉９０及び下皿扉６０は、本発明の「前面扉」に相当する。また、ガラス扉９０は、本発明の「第２の部品配設部材」に相当する。
【００５０】
下皿扉６０は、本体枠７０の下辺に沿って延びた横長構造をなしており、前面に下皿２７Ｂが設けられている。下皿扉６０は、本体枠７０の正面視左側辺から前方に張り出した上下のヒンジ片８５，８６（図２及び図４参照）によって回動可能に連結されており、本体枠７０の前面に重ねられた閉止状態で、本体枠７０における部品取付部７１の下半分を前面から覆う。
【００５１】
ガラス扉９０は略矩形枠状をなしており、本体枠７０のうち下皿扉６０より上側の全体を前面から覆う。ガラス扉９０は、下皿扉６０と同様に本体枠７０の正面視左側辺に回動可能に連結されている。詳細には、本体枠７０の左側辺から前方に張り出した上下のヒンジ片８５，８５（図２及び図４参照）の間にガラス扉９０の左側辺が挟まれた状態で連結されている。なお、本体枠７０の正面視右側辺には、ガラス扉係止具７４，７４（図４参照）が備えられており、ガラス扉９０の正面視右側辺に備えた係止片９９，９９（図２及び図３参照）と係止可能となっている。これにより、ガラス扉９０を本体枠７０の前面に重ね合わせた閉止状態（図１に示す状態）に維持することができる。
【００５２】
ガラス扉９０の中央部には、遊技板１１の遊技領域Ｒ１に対応した遊技窓９０Ｗが貫通形成されており、その遊技窓９０Ｗは透明なガラス板９６にて塞がれている。そのガラス板９６を通して遊技領域Ｒ１をパチンコ遊技機１０の前面から視認することができる（図１参照）。
【００５３】
ガラス扉９０の前面のうち遊技窓９０Ｗの下方には上皿２７Ａが設けられている。図示しないが、上皿２７Ａには遊技に使用するための遊技ボタン及び球移動ボタンが備えられている。そして、球移動ボタンを押すと、本体枠７０に備えた図示しない球通路を通って上皿２７Ａから下皿２７Ｂに遊技球が移動する。
【００５４】
さらに、図１に示すように、ガラス扉９０の前面には遊技窓９５Ｗを囲むように装飾ランプ９７が設けられており、上端両角部にはスピーカ９８，９８が設けられている。これら装飾ランプ９７やスピーカ９８，９８等の電気部品は、ガラス扉９０に内蔵された扉側中継基盤９０Ａ（図３参照）と接続されており、この扉側中継基盤９０Ａと本体枠７０に備えた本体側中継基盤７０Ａ（図５参照）との間が、例えば、通信用及び給電用のケーブル１００（本発明の「配線部材」に相当する）によって接続されている。なお、本体側中継基盤７０Ａは本発明の「第１の電気的部品」に相当し、扉側中継基盤９０Ａは、本発明の「第２の電気的部品」に相当する。
【００５５】
図１２に示すように、ケーブル１００は、複数本の絶縁電線の両端部を共通のコネクタ１０１，１０１にて束ねた構造であり、自在に変形可能となっている。また、ケーブル１００の中間部は、ケーブル１００と共に自在に変形可能な樹脂チューブ１０５（具体的には、コルゲートチューブ又はスパイラルチューブ）にて覆われている。この樹脂チューブ１０５によりケーブル１００が保護されている。なお、樹脂チューブ１０５は、本発明の「保護部材」に相当する。本実施形態では、ケーブル１００を樹脂チューブ１０５で覆っているが、ケーブル１００を剥き出しのまま使用してもよい。
【００５６】
図５に示すように、本体側中継基盤７０Ａは、本体枠７０の部品取付部７１に取り付けられている。詳細には、部品取付部７１の左側辺寄りでかつ閉止状態の下皿扉６０にて覆われる部分に設けられている。また、本体側中継基盤７０Ａは、本体枠７０の後面側に取り付けられており、部品取付部７１を前後方向に貫通した接続口を介してケーブル１００の一端部（コネクタ１０１）とコネクタ接続されている。
【００５７】
図３に示すように、ガラス扉９０の後面における回動中心寄り位置には、ガラス扉９０が閉止状態のときに本体枠７０の前面に向かって開放した矩形状のケーブル挿通開口９２が貫通形成されている。そのケーブル挿通開口９２からガラス扉９０の内部にケーブル１００が引き込まれており、ケーブル１００の他端部（コネクタ１０１）が、ガラス扉９０のうち遊技窓９０Ｗの下方位置に内蔵された扉側中継基盤９０Ａにコネクタ接続されている。なお、ケーブル１００は、ガラス扉９０が遊技機本体８０に対して全開位置まで回動して扉側中継基盤９０Ａが本体側中継基盤７０Ａから遠退いても、それらとのコネクタ接続が維持されるように、予め余長部分を含んだ長さに設計されている。
【００５８】
図５に示すように、ケーブル挿通開口９２の開口縁（上縁）にはケーブル１００を固定するための固定リング９４（例えば、結束バンド）が取り付けられている。固定リング９４は上下方向に貫通しており、ケーブル１００は、ケーブル挿通開口９２に進入する手前でその固定リング９４に上方から挿通されている。ケーブル１００をケーブル挿通開口９２の開口縁に固定したことにより、ケーブル挿通開口９２から導出された部分が誤って引っ張られても、ケーブル１００と扉側中継基盤９０Ａとの接続が解除されないようになっている。なお、固定リング９４は、本発明の「扉側ケーブル固定部」に相当する。
【００５９】
さらに、ガラス扉９０の後面のうちケーブル挿通開口９２より回動中心寄り位置には、扉後面突部９３が設けられている。扉後面突部９３はガラス扉９０の後面に対して直角となっており、ガラス扉９０が閉止状態のときに、本体枠７０の前面に向かって突出するようになっている。扉後面突部９３は、ケーブル挿通開口９２の一方の側縁に沿って上下方向に延びている。また、扉後面突部９３は、ケーブル挿通開口９２の上縁を越えて上方に延設されている。
【００６０】
さて、図３に示すように、本体枠７０の部品取付部７１のうち回動中心側の端部（正面視左端）には、ガラス扉９０を閉止状態にした場合に、ケーブル挿通開口９２から本体枠７０側に導出されたケーブル１００の中間部を収納するためのケーブル収容部屋１１０が設けられている。図８に拡大して示すように、ケーブル収容部屋１１０は、上下方向に延びかつ前方（ガラス扉９０の後面）に向かって開放した構造をなしている。ガラス扉９０及び下皿扉６０を本体枠７０に対して閉止状態にしたとき、ケーブル収容部屋１１０の上半分はガラス扉９０の後面と対面し、下半分は下皿扉７５の後面と対面するようになっている。また、ガラス扉９０を閉止状態にすると、ガラス扉９０のケーブル挿通開口９２がケーブル収容部屋１１０と重なり合うと共に、扉後面突部９３がケーブル収容部屋１１０に向かって突出するように配置されている（図９（Ａ）参照）。
【００６１】
図７にはケーブル収容部屋１１０の内部が示されている。同図に示すように、ケーブル収容部屋１１０の奥壁１１１のうち横方向の中央には固定ケーブルクリップ１２０が設けられている。固定ケーブルクリップ１２０は、図１０に示すように、１対の平行直線部１２１Ａ，１２１Ｂの基端部間を連絡直線部１２１Ｃで連絡した角Ｕ字形のクリップ本体１２１と、一方の平行直線部１２１Ａの先端にヒンジ部１２２を介して連結された係止レバー１２３とを備えている。係止レバー１２３をヒンジ部１２２で折り曲げてその先端を他方の平行直線部１２１Ｂの先端に係止させ、リング状にすることで、その内側にケーブル１００の中間部を貫通させた状態で保持することが可能となっている。ここで、係止レバー１２３の先端は、Ｖ字バネとなっており、そのＶ字バネを圧縮操作することで、係止レバー１２３と平行直線部１２１Ｂとの係止を解除して、固定ケーブルクリップ１２０によるケーブル１００の保持を解除することができる。なお、固定ケーブルクリップ１２０は、本発明の「本体側ケーブル固定部」及び「固定ケーブル保持リング」に相当する。
【００６２】
クリップ本体１２１のうち連絡直線部１２１Ｃには、アーチ状に湾曲した可撓板１２４の頂点部分が接続され、その可撓板１２４の頂点の裏側から矢尻形の弾性リベット１２５が突出している。そして、ケーブル収容部屋１１０の奥壁１１１に形成された貫通孔（図示せず）に弾性リベット１２５が押し込まれ、弾性リベット１２５における矢尻の返し部分と可撓板１２４との間で奥壁１１１を前後から挟むことで固定ケーブルクリップ１２０が奥壁１１１に固定されている（図８参照）。
【００６３】
ケーブル収容部屋１１０の横方向で対向した両内側面のうち、ガラス扉９０の回動中心から遠い側の内側面１１２には、パチンコ遊技機１０の前後方向に回動可能なケーブルガイドレバー１３０（本発明の「可動部材」、「回動レバー」に相当する）が取り付けられている。図７に示すように、ケーブルガイドレバー１３０は、その基端部（下端部）が内側面１１２の奥壁１１１寄り位置にピン１３４を介して回動可能に連結されており、回動中心とは反対側の先端部（上端部）に可動ケーブルクリップ１４０を備えている。また、ケーブル収容部屋１１０の内側面１１２のうち、ケーブルガイドレバー１３０の前方には阻止突起１１５（本発明の「阻止部材」に相当する）が突出形成されている。ケーブルガイドレバー１３０が前方に回動したときに、阻止突起１１５と干渉することで、ケーブルガイドレバー１３０が所定角を越えて前方に回動することが規制されている。
【００６４】
図１１（Ａ）に示すようにケーブルガイドレバー１３０は、回動中心（基端部）からケーブル収容部屋１１０の内側面１１２に沿って上方に延びたレバー中間部１３０Ｂと、レバー中間部１３０Ｂの先端部からケーブル収容部屋１１０の横方向の中央側（内側面１１２と反対側）に屈曲した横向きレバー先端部１３０Ｃとを備え、それらが一体成形されている。レバー中間部１３０Ｂは、横向きレバー先端部１３０Ｃ寄り位置で、内側面１１２から離れるようにクランク状に屈曲している。また、同図（Ｂ）に示すように、横向きレバー先端部１３０Ｃの前面から可動ケーブルクリップ１４０が突出して設けられている。なお、ケーブルガイドレバー１３０の基端部（回動中心側の端部）は、本発明の「レバー回動中心基端部」に相当する。
【００６５】
可動ケーブルクリップ１４０は、固定ケーブルクリップ１２０と同一構造をなしている。即ち、図１０に示すように、１対の平行直線部１４１Ａ，１４１Ｂの基端部間を連絡直線部１４１Ｃで連絡した角Ｕ字形のクリップ本体１４１と、一方の平行直線部１４１Ａの先端にヒンジ部１４２を介して連結された係止レバー１４３とを備えている。そして、係止レバー１４３をヒンジ部１４２で折り曲げてその先端を他方の平行直線部１４１Ｂの先端に係止させ、リング状にすることで、その内側にケーブル１００の中間部を上下方向に貫通させた状態で保持することが可能となっている。なお、可動ケーブルクリップ１４０は、本発明の「配線固定部」、「レバー先端保持部」及び「可動ケーブル保持リング」に相当する。
【００６６】
可動ケーブルクリップ１４０が設けられた横向きレバー先端部１３０Ｃは、図１１（Ｂ）に示すように、ケーブルガイドレバー１３０の長手方向で対向した１対の対向壁１３５，１３５の間を、それら対向壁１３５，１３５と直交した中間壁１３６にて連絡した「Ｈ」形構造をなしている。そして、１対の対向壁１３５，１３５の間に可撓板１４４が配置されると共に、中間壁１３６に形成された貫通孔１３６Ａ（図１１（Ａ）参照）に弾性リベット１４５が押し込まれ、弾性リベット１４５と可撓板１４４との間で中間壁１３６を挟むことで、横向きレバー先端部１３０Ｃに可動ケーブルクリップ１４０が固定されている。
【００６７】
ここで、図７に示すように、固定ケーブルクリップ１２０は可動ケーブルクリップ１４０の下方、詳細には、ケーブルガイドレバー１３０の基端部の側方に配置されており、ケーブルガイドレバー１３０が上下方向に伸びた垂直姿勢となったとき、固定ケーブルクリップ１２０と可動ケーブルクリップ１４０のリング状部分同士が略同軸線上に並ぶように配置されている（図８（Ａ）参照）。
【００６８】
ケーブルガイドレバー１３０は、ガラス扉９０が完全に閉まったとき（図１参照）に、ケーブル収容空間１１０内で垂直姿勢となる。このとき、ケーブル１００の中間部は、ケーブル収容部屋１１０の下端部から固定ケーブルクリップ１２０及び可動ケーブルクリップ１４０を上下方向に貫通して上方に向かい、可動ケーブルクリップ１４０の上方でヘアピン状に屈曲して下方に折り返され、ケーブル収容部屋１１０の前面開口を通ってガラス扉９０のケーブル挿通開口９２へと向かって延びる。ここで、ガラス扉９０を閉止状態にしたとき、可動ケーブルクリップ１４０の上方でヘアピン状に折り返された中間屈曲部１０２（本発明の「折り返し屈曲部」に相当する）が、ケーブル収容部屋１１０の奥壁１１１に当接し得るが、その中間屈曲部１０２が当接し得る位置には、予め薄板状の弾性部材１１６（例えば、ゴム）が配設されている。
【００６９】
本実施形態の構成に関する説明は以上である。次に、本実施形態の作用効果について説明する。パチンコ遊技機１０の釘調整を行う場合や遊技板１１の役物に不具合が生じた場合には、ガラス扉９０が開かれる。ガラス扉９０を開く方向に回動させると、ケーブル１００の中間部（具体的には、本体枠７０の固定ケーブルクリップ１２０による固定位置とガラス扉９０の固定リング９４による固定位置との間の余長部）が、ケーブルガイドレバー１３０の案内によってケーブル収容部屋１１０の前方に移動しつつ変形する。詳細には、図８（Ａ）から同図（Ｂ）への変化に示すように、ガラス扉９０の後面が本体枠７０の前面から遠退いていくのに従って、ケーブル１００の中間部がケーブル収容部屋１１０から徐々に引き出される。また、ケーブル１００の中間部のうち、ケーブル収容部屋１１０内でヘアピン状に屈曲していたケーブル１００の中間屈曲部１０２が、前後に拡開して屈曲が緩和されると共に、ケーブル収容部屋１１０の前方に移動する。このときケーブルガイドレバー１３０は、ケーブル１３０の中間部の移動及び変形に応じて前方に倒れるように回動する。そして、可動ケーブルクリップ１４０がケーブル収容部屋１１０内から前斜め下方に向かって移動することで、上述の如く、中間屈曲部１０２を含むケーブル１００の中間部がケーブル収容部屋１１０の前方に移動及び変形するように案内される。即ち、ケーブル１００の中間部をケーブルガイドレバー１３０にて保持したことで、ガラス扉９０が開かれていく間、ケーブル１００の中間部の左右方向への動きが規制される。
【００７０】
また、ガラス扉９０が開かれるに従って扉後面突部９３の向きが変化して、徐々にケーブル１００の中間部を押圧するようになる。そして、図９（Ｂ）に示すように、ガラス扉９０が約９０度開かれると、扉後面突部９３がケーブル１００のうち固定リング９４による固定位置と可動ケーブルクリップ１４０による保持位置との中間部分（中間屈曲部１０２）をガラス扉９０の回動中心から離す方向に押圧する。即ち、ケーブル１００の中間部が、可動ケーブルクリップ１４０と固定リング９４との間で扉後面突部９３を乗り越えて延びる。これにより、ガラス扉９０が開放されたときに、ケーブル１００の中間部が、本体枠７０の回動中心側端部とガラス扉９０の回動中心側端部との間に形成された吊元側隙間１６０に入り込むことを抑制することができる。この吊元側隙間１６０は本発明の「障害領域」に相当する。
【００７１】
釘調整又は遊技板１１の不具合への対処を終えた後、ガラス扉９０を閉める方向に回動させると、ケーブル１００の中間部（具体的には、本体枠７０の固定ケーブルクリップ１２０による固定位置とガラス扉９０の固定リング９４による固定位置との間の余長部）が、ケーブルガイドレバー１３０の案内によって変形及び移動しケーブル収容部屋１１０内に収納される。詳細には、ガラス扉９０が本体枠７０の前面に接近していくのに従って、ケーブル１００の中間部のうち可動ケーブルクリップ１４０と固定リング９４との間の中間屈曲部１０２における屈曲が大きくなると共に、その中間屈曲部１０２が上方及び後方に移動する。このとき、ケーブルガイドレバー１３０は、前方に倒れた姿勢からケーブル収容部屋１１０に向かって（後方に）回動し、可動ケーブルクリップ１４０がケーブル収容部屋１１０に戻ることで、中間屈曲部１０２を含むケーブル１００の中間部をケーブル収容部屋１１０内に案内する。即ち、ガラス扉９０が閉じていく間、ケーブル１００の中間部は、ケーブルガイドレバー１３０によって左右方向への動き（左右方向への屈曲）が規制されるので、ケーブル１００の中間部が不規則に変形して本体枠７０の回動中心側端部とガラス扉９０の回動中心側端部との間の吊元側隙間１６０に入り込むこと及び、ガラス扉９０の後面と本体枠７０の部品取付部７１との間の空間に入ることを抑制することができる。
【００７２】
ガラス扉９０が完全に閉まると、図８（Ａ）に示すように、ケーブルガイドレバー１３０が垂直姿勢になってケーブル収容部屋１１０内に収容されかつ、ケーブル１００の中間部がケーブル収容部屋１１０内に収納される。このとき、ケーブル収容部屋１１０内では、ケーブル１００が固定ケーブルクリップ１２０及び可動ケーブルクリップ１４０を上下方向に貫通し、可動ケーブルクリップ１４０の上方で中間屈曲部１０２がヘアピン状に下方に折り返されてからガラス扉９０のケーブル挿通開口９２へと向かう。また、ガラス扉９０の閉止によりケーブル１００の中間屈曲部１０２がケーブル収容部屋１１０内に押し込まれたときに、中間屈曲部１０２を奥壁１１１に配設した弾性部材１１６で受け止めるようにしたことで、中間屈曲部１０２が受ける負荷を緩和することができる。
【００７３】
このように本実施形態によれば、ガラス扉９０を閉じるときにケーブルガイドレバー１３０により、ケーブル１００の中間部の前後の動きが許容される一方で、左右方向の動きが規制されるので、ガラス扉９０を開くことで遊技機本体８０とガラス扉９０との間に形成される吊元側隙間１６０或いは、ガラス扉９０の後面と本体枠７０の部品取付部７１との間の空間に、ケーブル１００の中間部が挟まれることを抑制することができる。つまり、ガラス扉９０を閉める際の障害となるようなケーブル１００の不規則な屈曲変形を抑制することができる。しかも、不規則に屈曲変形したケーブル１００の中間部が、遊技機本体８０とガラス扉９０との間の隙間に挟まれて破損することを抑制することができる。
【００７４】
また、ガラス扉９０が閉じた状態で、ケーブル１００の中間部をケーブル収容部屋１１０に収納することができ、ケーブル１００の中間部の極端な屈曲を抑制することができる。
【００７５】
また、ガラス扉９０を閉じた状態で、可動ケーブルクリップ１４０と固定ケーブルクリップ１２０を上下の略同軸線上で並ぶように配置したので、可動ケーブルクリップ１４０と固定ケーブルクリップ１２０との間でケーブル１００を略直線状に伸ばした状態で保持することができる。また、可動ケーブルクリップ１４０及び固定ケーブルクリップ１２０の間でケーブル１００を大きく曲げなくてもよいので、ケーブル１００の中間部を保持させる作業が容易になる。
【００７６】
さらに、仮に、ケーブルガイドレバー１３０（可動ケーブルクリップ１４０）によるケーブル１００の中間部の保持が、不測の事態により解除されて、ケーブル１００の中間部が左右方向に動くことが可能になった場合でも、ガラス扉９０が開いた状態では、扉後面突部９３がケーブル１００の中間部をガラス扉９０の回動中心から離れる側に押圧するから、本体枠７０の回動中心側端部とガラス扉９０の回動中心側端部との間に形成される吊元側隙間１６０にケーブル１００の中間部が入り込むことを抑制することができる。
【００７７】
ここで、上記実施形態において遊技機本体８０（本体枠７０）に設けられていたケーブルガイドレバー１３０、ケーブル収容部屋１１０、阻止突起１１５、弾性部材１１６等をガラス扉９０に設けたパチンコ遊技機も本発明の技術的範囲に含まれる。この遊技機を概念的に纏めると以下の（１）〜（９）のようになる。
【００７８】
（１）固定された第１の部品配設部材とその第１の部品配設部材に対して移動可能な第２の部品配設部材とに第１と第２の電気的部品が組み付けられ、それら第１と第２の電気的部品の間を電気接続する配線部材の中間部が、前記第１の部品配設部材に対する前記第２の部品配設部材の移動に伴って屈曲変形する遊技機において、前記第１の部品配設部材とは別個に前記第２の部品配設部材に相対移動可能に連結された可動部材を設け、前記第１の部品配設部材に対して前記第２の部品配設部材が移動したときに、前記可動部材が前記第２の部品配設部材に対して相対移動しながら前記配線部材の中間部を所定の障害領域を回避した回避軌道を描くようにガイドするように構成したことを特徴とする遊技機である。
【００７９】
（２）上記（１）に記載の遊技機において、前記障害領域は、前記第１と第２の部品配設部材の間に配置され、前記第１の部品配設部材に対して前記第２の部品配設部材が移動したときに、前記配線部材の厚さより大きい状態から前記配線部材の厚さと略同等以下の大きさに狭まる空間であることを特徴とする遊技機である。
【００８０】
（３）上記（１）又は（２）に記載の遊技機において、前記可動部材には、前記配線部材が固定され、前記第２の部品配設部材に対して前記可動部材が相対移動したときに所定の軌跡を描いて移動することで、前記配線部材の中間部を所定の障害領域を回避した回避軌道を描くようにガイドする配線固定部が設けられたことを特徴とする遊技機である。
【００８１】
（４）上記（３）に記載の遊技機において、前記第１の部品配設部材に対して前記第２の部品配設部材が移動したときに、前記配線部材のうち前記配線固定部の両側部分が屈曲変形することを特徴とする遊技機である。
【００８２】
（５）上記（１）乃至（４）の何れか１に記載の遊技機において、前記配線部材の中間部は、通常は、屈曲した状態になっていて、前記第２の部品配設部材には、前記配線部材の中間部における屈曲部分が、所定角を越えて直線状に向かうように伸ばされることを規制する阻止部材が備えられていることを特徴とする遊技機である。
【００８３】
（６）上記（１）乃至（５）の何れか１に記載の遊技機において、前記第２の部品配設部材には、前記可動部材を収容した収容空間が形成されて、前記第２の部品配設部材が前記第１の部品配設部材に接近するように移動した際に、前記配線部材の一部が前記可動部材にガイドにされて前記収容空間に収納されることを特徴とする遊技機である。
【００８４】
（７）上記（６）に記載の遊技機において、前記収容空間の内面には、前記配線部材が当接する位置に弾性部材が取り付けられていることを特徴とする遊技機である。
【００８５】
（８）上記（１）乃至（７）の何れか１に記載の遊技機において、前記配線部材の周囲を覆い、前記第１の部品配設部材に対して前記第２の部品配設部材が相対移動したときに前記配線部材と共に屈曲可能な保護部材を備えたことを特徴とする遊技機である。
【００８６】
（９）上記（１）乃至（８）の何れか１に記載の遊技機において、前記第２の部品配設部材は前記第１の部品配設部材に対して回動可能に連結され、前記配線部材は前記第１の部品配設部材の回動中心寄り位置に配置されていることを特徴とする遊技機である。
【００８７】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００８８】
（１）前記実施形態ではパチンコ遊技機１０に本発明を適用していたが、遊技機本体８０とガラス扉９０との間がケーブル１００にて連絡されている他の遊技機（例えば、コイン遊技機やスロットマシン等）に本発明を適用してもよい。
【００８９】
（２）前記実施形態では、遊技機本体８０とガラス扉９０との間がケーブル１００にて連結された遊技機に本発明を適用していたが、遊技機本体８０と下皿扉６０との間がケーブル１００にて連結された遊技機に本発明を適用してもよい。
【００９０】
（３）前記実施形態では、ケーブルガイドレバー１３０が、ガラス扉９０の回動軸と直交した水平軸回りでパチンコ遊技機１０の前後方向に回動するように構成されていたが、ケーブルガイドレバー１３０がガラス扉９０の回動軸と平行な垂直軸回り、或いは、ガラス扉９０の回動軸に対して傾斜した軸回りで前後方向に回動するようにしてもよい。
【００９１】
（４）前記実施形態では、固定ケーブルクリップ１２０の上方に可動ケーブルクリップ１４０が配置されていたが、固定ケーブルクリップ１２０とケーブルガイドレバー１３０の配置を上下逆転させてケーブル１００を保持させてもよい。具体的には、ケーブルガイドレバー１３０の下端部に可動ケーブルクリップ１４０を取り付けて上端部を中心に回動可能とし、固定ケーブルクリップ１２０を上下方向に貫通して下方に延びたケーブル１００が可動ケーブルクリップ１４０を貫通してその下方で斜め上方に折り返されてガラス扉９０側に向かうようにケーブル１００を取り廻してもよい。
【００９２】
（５）本発明に係る「本体側ケーブル固定部」及び「固定ケーブル保持リング」は、前記実施形態で例示した固定ケーブルクリップ１２０（図１０参照）に限定するものではなく、例えば、結束バンドやステップルでもよい。同様に、本発明に係る「配線固定部」、「レバー先端保持部」、「可動ケーブル保持リング」は、前記実施形態で例示した可動ケーブルクリップ１４０に限定するものではなく、例えば、結束バンドでもよい。
【００９３】
（６）前記実施形態においてケーブル１００は、ガラス扉９０と遊技機本体８０とを電気接続するためのものであったが、ガラス扉９０と遊技機本体８０とを繋ぎ止めるためのケーブルでもよい。
【００９４】
（７）本発明に係る「配線部材（ケーブル１００）」が接続される「第１の電気的部品」及び「第２の電気的部品」は、前記実施形態で例示した回路基盤に限定するものではなく、例えば、モータやソレノイドでもよい。
【００９５】
（８）前記実施形態では、遊技機本体８０と遊技機本体８０に対して回動可能なガラス扉９０との間をケーブル１００にて連絡したパチンコ遊技機１０に本発明を適用していたが、回動以外の相対移動（直動、傾動等）が可能な１対の部品配設部材の間を配線部材にて連絡した遊技機に本発明を適用してもよい。例えば、１対の部品配設部材の一方が遊技板であり、他方が遊技板に直動可能に連結された電動役物である遊技機に本発明を適用してもよい。または、例えば、１対の部品配設部材の一方が本体枠であり、他方が本体枠に移動可能に連結された基盤ケースである遊技機に本発明を適用してもよい。
【００９６】
（９）前記実施形態では、１対の部品配設部材のうち一方（本体枠７０）が固定され、他方（ガラス扉９０）が移動する構成の遊技機に本発明を適用していたが、１対の部品配設部材の双方が移動しかつその位置関係が変化する遊技機に本発明を適用してもよい。
【符号の説明】
【００９７】
１０    パチンコ遊技機
６０    下皿扉（前面扉）
７０    本体枠（第１の部品配設部材）
７０Ａ    本体側中継基盤（第１の電気的部品）
８０    遊技機本体
９０    ガラス扉（第２の部品配設部材、前面扉）
９０Ａ    扉側中継基盤（第２の電気的部品）
９２    ケーブル挿通開口
９３    扉後面突部
９４    固定リング（扉側ケーブル固定部）
１００    ケーブル（配線部材）
１０２    中間屈曲部（折り返し屈曲部）
１０５    樹脂チューブ（保護部材）
１１０    ケーブル収容部屋（収容空間）
１１５    阻止突起（阻止部材）
１１６    弾性部材
１２０    固定ケーブルクリップ（本体側ケーブル固定部、固定ケーブル保持リング）
１３０    ケーブルガイドレバー（可動部材、回動レバー）
１３０Ｂ    レバー中間部
１３０Ｃ    横向きレバー先端部
１４０    可動ケーブルクリップ（配線固定部、レバー先端保持部、可動ケーブル保持リング）
１６０    吊元側隙間（障害領域）
【図１】
0005113221.tif 000002
【図２】
0005113221.tif 000003
【図３】
0005113221.tif 000004
【図４】
0005113221.tif 000005
【図５】
0005113221.tif 000006
【図６】
0005113221.tif 000007
【図７】
0005113221.tif 000008
【図８】
0005113221.tif 000009
【図９】
0005113221.tif 000010
【図１０】
0005113221.tif 000011
【図１１】
0005113221.tif 000012
【図１２】
0005113221.tif 000013
【図１３】
0005113221.tif 000014